(57)【特許請求の範囲】
【請求項１】
一側面側にボタン配置部を有する電子機器本体と、
前記ボタン配置部に配置され、光を透過する材料からなり、第１の半径の円柱形状をし、基部が前記第１の半径より大きい第２の半径をし、前記基部の反対側に押下面を有するボタンと、
前記ボタン配置部側に固定され、前記ボタンの基部及び基部近傍の外周面を取り囲む内周面及び外部に露出する外周面を有し、光を散乱させる材料からなるリング状の発光部と、
前記ボタン配置部側との間で前記発光部を挟むように前記発光部に固定され、前記ボタンの外周面を取り囲む内周面を有し、前記押下面より突き出した突き出し部を有し、光を透過しない材料からなるリング状の遮光部と、
前記ボタンを前記電子機器本体側から弾性的に支持する支持部材と、
前記電子機器本体側に配置され、前記ボタンの基部の底面のほぼ中心に向けて発光する発光素子と、
前記ボタンの基部側により押圧されて切り替えられるスイッチ素子と
を具備する電子機器。
【請求項２】
請求項１に記載の電子機器であって、
前記遮光部は、前記発光部を貫通する固定用の突起脚を有し、
前記電子機器は、前記突起脚が前記電子機器本体の正面側に位置することを避けるように、前記発光部及び前記遮光部を回転方向に対して位置決めする位置決め部を具備する
電子機器。
【請求項３】
請求項１又は請求項２に記載の電子機器であって、
前記発光部は、前記ボタンの基部の外周面を取り囲み、前記ボタンの基部の外縁の角部と対向する位置に傾斜面を有する凹部を有する
電子機器。
【請求項４】
請求項１又は請求項２に記載の電子機器であって、
前記ボタンの基部の底面に配置された拡散シート
を具備する電子機器。
【請求項５】
請求項１又は２に記載の電子機器であって、
前記電子機器本体は、操作部が設けられた第１の面を有する第１の筐体と、前記第１の面と対面可能で、表示部が設けられた第２の面を有する第２の筐体と、前記第１の筐体と前記第２の筐体とを前記電子機器本体の背面側で回転可能に連結し、一端に前記ボタン配置部が設けられた円筒形状のヒンジとを有する
電子機器。
【請求項６】
光を透過する材料からなり、第１の半径の円柱形状をし、基部が前記第１の半径より大きい第２の半径をし、前記基部の反対側に押下面を有するボタンと、
前記ボタンの基部及び基部近傍の外周面を取り囲む内周面及び外部に露出する外周面を有し、光を散乱させる材料からなるリング状の発光部と、
前記発光部に固定され、前記ボタンの外周面を取り囲む内周面を有し、前記押下面より突き出した突き出し部を有し、光を透過しない材料からなるリング状の遮光部と
を具備する電子部品。
【請求項７】
請求項６に記載の電子部品であって、
前記遮光部は、前記発光部を貫通する固定用の突起脚を有し、
前記電子部品は、前記発光部及び前記遮光部を回転方向に対して位置決めするための位置決め部材を具備する
電子部品。
【請求項８】
請求項６又は請求項７に記載の電子部品であって、
前記発光部は、前記ボタンの基部の外周面を取り囲み、前記ボタンの基部の外縁の角部と対向する位置に傾斜面を有する凹部を有する
電子部品。
【発明の詳細な説明】
【技術分野】
【０００１】
本発明は、ノートパソコンなどの電子機器及びこのような電子機器に実装される電子部品に関する。
【背景技術】
【０００２】
ノートパソコンなどの電子機器は、デザイン性を向上させながら、電源スイッチなどのボタン類の小型薄型化を阻害することなく配置することが要求される。特許文献１によれば、キーボードなどが設けられた筐体と表示部が設けられた筐体とを回転可能に連結するヒンジの一端に電源スイッチが設けられている。電源スイッチは、発光素子によって例えば電源がオンになっているときにはスイッチが発光する。これにより、例えば電源がオンになっている状態は、可視的にわかりやすくなる。  
【特許文献１】特開２００５−１２８８０５号公報（段落[０１３５]、図３、図３５など）
【発明の開示】
【発明が解決しようとする課題】
【０００３】
特許文献１に記載された技術では、電源スイッチはヒンジの一端に露出しているので、ユーザなどが誤って電源スイッチに接触し、不意に電源が落ちるなどの問題がある。そこで、このような電源スイッチの周囲を囲み、電源スイッチの押下面よりも突き出した突き出し部を有する遮光部を配置することが考えられる。遮光部は、主にデザイン性の観点からメッキなどが施されている。
【０００４】
しかしながら、このような遮光部が設けられると、正面から電子機器を操作するユーザは、遮光部に遮られて電源スイッチの発光が確認できないことがある。
【０００５】
以上のような事情に鑑み、本発明の目的は、デザイン性を損なうことなく、正面から電子機器を操作するユーザがボタンの発光状態を確認できる電子機器及び電子部品を提供することにある。
【課題を解決するための手段】
【０００６】
本発明に係る電子機器は、電子機器本体と、ボタンと、リング状の発光部と、リング状の遮光部と、発光素子と、スイッチ素子とを具備する。前記電子機器本体は、一側面側にボタン配置部を有する。前記ボタンは、前記ボタン配置部に配置され、光を透過する材料からなり、第１の半径の円柱形状をし、基部が前記第１の半径より大きい第２の半径をし、前記基部の反対側に押下面を有する。前記リング状の発光部は、前記ボタン配置部側に固定され、前記ボタンの基部及び基部近傍の外周面を取り囲む内周面及び外部に露出する外周面を有し、光を散乱させる材料からなる。前記リング状の遮光部は、前記ボタン配置部側との間で前記発光部を挟むように前記発光部に固定され、前記ボタンの外周面を取り囲む内周面を有し、前記押下面より突き出した突き出し部を有し、光を透過しない材料からなる。前記支持部材は、前記ボタンを前記電子機器本体側から弾性的に支持する。前記発光素子は、前記電子機器本体側に配置され、前記ボタンの基部の底面のほぼ中心に向けて発光する。前記スイッチ素子は、前記ボタンの基部側により押圧されて切り替えられる。
【０００７】
本発明に係る電子機器では、リング状の遮光部がボタンの外周面を取り囲んでいるので、デザイン性を損なうことはない。発光素子で発光した光は、ボタンの基部の底面から入射し、ボタン内を通り押下面から出射して押下面が発光する。また、発光素子で発光した光は、ボタンの基部の底面から入射し、ボタン内及びリング状の発光部内を通り、リング状の発光部内で散乱し、その外周面から出射してその外周面が発光する。リング状の発光部の外周面の発光により、少なくとも１つの発光素子を備えるだけで、一側面側からだけでなく、正面から電子機器を操作するユーザがボタンの発光状態を確認できる。しかも、リング状の発光部は、ボタンの基部及び基部近傍の外周面を取り囲んでいるので、軸対象の構造である。従って、リング状の発光部は、その外周面から光を均一に発光する。
【０００８】
前記遮光部は、前記発光部を貫通する固定用の突起脚を有し、前記電子機器は、前記突起脚が前記電子機器本体の正面側に位置することを避けるように、前記発光部及び前記遮光部を回転方向に対して位置決めする位置決め部を具備してもよい。  
前記突起脚が前記電子機器本体の正面側に位置することを避けるようにしたことで、正面から電子機器を操作するユーザにとって突起脚によってボタンの発光状態が損なわれることはなくなる。
【０００９】
前記発光部は、前記ボタンの基部の外周面を取り囲み、前記ボタンの基部の外縁の角部と対向する位置に傾斜面を有する凹部を有してもよい。  
傾斜面を有することで、ボタンの基部の外縁の角部付近から出射した光が発光部に入射する際に反射することが少なくなり、発光部から発光する光の光量はより多くなる。
【００１０】
前記電子機器は、前記ボタンの基部の底面に配置された拡散シートを具備してもよい。  
拡散シートにより、発光素子で発光した光は拡散してボタン内に入射する。従って、押下面及び発光部の外周面からより均一に光を発光させることができる。
【００１１】
前記電子機器本体は、操作部が設けられた第１の面を有する第１の筐体と、前記第１の面と対面可能で、表示部が設けられた第２の面を有する第２の筐体と、前記第１の筐体と前記第２の筐体とを前記電子機器本体の背面側で回転可能に連結し、一端に前記ボタン配置部が設けられた円筒形状のヒンジとを有してもよい。  
円筒形状のヒンジの一端に押下面及び発光部の外周面から発光するボタンを配置することで、デザイン性がより良いものとなる。
【００１２】
本発明に係る電子部品は、ボタンと、リング状の発光部と、リング状の遮光部とを具備する。前記ボタンは、光を透過する材料からなり、第１の半径の円柱形状をし、基部が前記第１の半径より大きい第２の半径をし、前記基部の反対側に押下面を有する。前記リング状の発光部は、前記ボタンの基部及び基部近傍の外周面を取り囲む内周面及び外部に露出する外周面を有し、光を散乱させる材料からなる。前記リング状の遮光部は、前記発光部に固定され、前記ボタンの外周面を取り囲む内周面を有し、前記押下面より突き出した突き出し部を有し、光を透過しない材料からなる。
【００１３】
本発明に係る電子部品では、リング状の遮光部がボタンの外周面を取り囲んでいるので、デザイン性を損なうことはない。発光素子で発光した光は、ボタンの基部の底面から入射し、ボタン内を通り押下面から出射して押下面が発光する。また、発光素子で発光した光は、ボタンの基部の底面から入射し、ボタン内及びリング状の発光部内を通り、リング状の発光部内で散乱し、その外周面から出射してその外周面が発光する。リング状の発光部の外周面の発光により、少なくとも１つの発光素子を備えるだけで、一側面側からだけでなく、正面から電子機器を操作するユーザがボタンの発光状態を確認できる。しかも、リング状の発光部は、ボタンの基部及び基部近傍の外周面を取り囲んでいるので、軸対象の構造である。従って、リング状の発光部は、その外周面から光を均一に発光する。
【００１４】
前記遮光部は、前記発光部を貫通する固定用の突起脚を有し、前記電子部品は、前記発光部及び前記遮光部を回転方向に対して位置決めするための位置決め部材を具備してもよい。  
前記突起脚が前記電子機器本体の正面側に位置することを避けるようにしたことで、正面から電子機器を操作するユーザにとって突起脚によってボタンの発光状態が損なわれることはなくなる。
【００１５】
前記発光部は、前記ボタンの基部の外周面を取り囲み、前記ボタンの基部の外縁の角部と対向する位置に傾斜面を有する凹部を有してもよい。  
傾斜面を有することで、ボタンの基部の外縁の角部付近から出射した光が発光部に入射する際に反射することが少なくなり、発光部から発光する光の光量はより多くなる。
【発明の効果】
【００１６】
以上のように、本発明によれば、デザイン性を損なうことなく、正面から電子機器を操作するユーザがボタンの発光状態を確認できる。
【発明を実施するための最良の形態】
【００１７】
以下、本発明の実施の形態を図面に基づき説明する。  
本実施形態では電子機器としてノートブック型コンピュータを一例に挙げて説明する。  
図１は本発明の一実施形態に係る電子機器の開いた状態の斜視図、図２は電子機器の閉じた状態の斜視図、図３は電子機器の開いた状態の平面図である。  
電子機器１は、表示部２と、本体部３と、これら表示部２と本体部３とを連結するヒンジ４とを備えている。
【００１８】
表示部２は、ヒンジ４を介して本体部３に対して開閉可能である。表示部２は、表示側筐体５、表示面６と、表示側筐体５内に設けられた表示処理を行う図示しない表示処理ユニットとを備えている。
【００１９】
表示側筐体５は、図示しない表示処理ユニットを収容する表示部２の筐体である。表示面６は、情報を表示するための画面であり、閉じた状態で本体部３に対面する。
【００２０】
本体部３は、本体側筐体７、キーボードユニット８、図示しない中央処理装置、図示しないハードディスク装置などの部品を備えている。
【００２１】
本体側筐体７は、本体部３の筐体であり、円筒状の連結部４ａを２個有する。キーボードユニット８は、例えば複数のキー等を備えており、電子機器１の入力部として機能する。中央処理装置は、本体側筐体７内の多層プリント配線板に実装されている。中央処理装置は、キーボードユニット８からの入力信号を受けて、演算処理、制御処理、画像処理、表示部２への出力処理などの各種処理を行い、この電子機器１の実質的な機能上の本体として機能する。
【００２２】
ヒンジ４は、本体部３に固定された連結部４ａと、表示部２に形成された連結部４ｂとが回動自在に連結されることで構成されている。ヒンジ４の軸方向（図１のＹ方向）の右端の連結部４ａには、電源スイッチユニット１０が配置されている。電源スイッチユニット１０は、例えば本体側筐体７に固定されている。
【００２３】
図４は電源スイッチユニット１０の斜視図、図５は電源スイッチユニット１０の平面、左側面、正面、右側面及び底面図、図６は電源スイッチユニット１０の分解斜視図、図７は図５（Ｃ）に示す電源スイッチユニット１０のＡ−Ａ断面図である。  
電源スイッチユニット１０は、図４〜図７に示すように、遮光部材１１、発光部材１２、包囲部材１３、ボタン１４、支持部材１５及び基板１６を備えている。電源スイッチユニット１０は、これらの図に示すように、これらの部品が組み合わされて構成されている。
【００２４】
図８（Ａ）、（Ｂ）、（Ｃ）、（Ｄ）及び（Ｅ）は遮光部材１１の平面、左側面、正面、右側面及び底面図である。  
遮光部材１１は、図６に示すように、リング状の遮光部２１、複数の突起脚２２を備える。リング状の遮光部２１及び突起脚２２は一体的に形成されている。リング状の遮光部２１は、ボタン１４が嵌る円形状の開口２３が形成されている。リング状の遮光部２１は、図７に示すように、ボタン１４が押される方向（図７のＹ方向）で外側に突出した突出部２４を備えている。開口２３は、突出部２４から陥没した位置に設けられている。リング状の遮光部２１は、図７に示すように、遮光部２１の外周側から一点鎖線で示す中心に近づくにつれＹ方向に凹む斜面２５を備える。リング状の遮光部２１は、図７に示すように、開口２３を形成する内周面２６を備えている。遮光部２１の内周面２６は、図７に示すように、ボタン１４の外周面４４の一部に対向する。突起脚２２は、図８（Ｅ）に示すように、リング状の遮光部２１の周方向に等間隔に（等角度間隔で）３本配設されている。
【００２５】
遮光部材１１は、例えば図４に示すその外表面が例えばスパッタリングされており、外表面に遮光膜が形成されている。遮光部２１は、例えばスパッタリングによる遮光膜により光を透過させない。
【００２６】
図９（Ａ）、（Ｂ）、（Ｃ）、（Ｄ）及び（Ｅ）は発光部材１２の平面、左側面、正面、右側面及び底面図である。  
発光部材１２は、図６に示すように、位置決め突出部３０、リング状の発光部３１及び脚部３２を備えている。
【００２７】
位置決め突出部３０は、遮光部材１１の複数の突起脚２２に対応する位置に複数の孔３３が形成されている。突起脚２２が孔３３内に挿入され、遮光部材１１と、発光部材１２とが位置決めされる。位置決め突出部３０は、ボタン１４が嵌る開口３４が形成されている。
【００２８】
リング状の発光部３１は、図７に示すように、その外周面Ｓが、遮光部材１１と包囲部材１３との間から露出している。リング状の発光部３１の材料は、例えば透光性を有する例えば乳白色の樹脂材料等が用いられる。
【００２９】
脚部３２は、図７に示すように、包囲部材１３内に挿入され包囲部材１３に固定される。
【００３０】
発光部材１２は、図７及び図９（Ｅ）に示すように、ボタン１４の後述する基部４６の外周面４８を取り囲む凹部３６を備えている。凹部３６は、リング状の発光部３１と、脚部３２等により構成されている。凹部３６は、ボタン１４の角部４９と対向する位置に傾斜面３７を有する。
【００３１】
図１０（Ａ）、（Ｂ）、（Ｃ）、（Ｄ）、（Ｅ）及び（Ｆ）は包囲部材１３の平面、左側面、正面、右側面、底面及び背面図である。  
包囲部材１３は、円筒状の包囲部材本体４０と、位置決め部４１とを備えている。包囲部材本体４０は、発光部材１２の脚部３２を固定し、支持部材１５及び基板１６等を包囲する。位置決め部４１は、包囲部材本体４０の側面から突出して設けられている。位置決め部４１は、本体側筐体７の例えば位置決め部７１に固定される。包囲部材本体４０の内周面側には位置決め部４２が設けられている。位置決め部４２は、遮光部材１１の突起脚２２が電子機器１の正面側（図６のＸ方向）に位置することを避けるように、発光部材１２及び遮光部材１１を回転方向（周方向）に対して位置決めする。
【００３２】
図１１（Ａ）、（Ｂ）、（Ｃ）、（Ｄ）及び（Ｅ）はボタン１４の平面、左側面、正面、右側面及び底面図である。  
ボタン１４は、電子機器１に電源を投入するときにユーザにより押される電源スイッチのボタンである。ボタン１４は、円柱形状であり、凸部４５と、基部４６とを備える。ボタン１４は、光を透過する例えばＡＢＳ樹脂等の透明な材料からなる。
【００３３】
凸部４５は、図７に示すように、遮光部材１１の開口２３及び発光部材１２の開口３４に嵌る。凸部４５は、図１１に示すように、半径が第１の半径ｒ１であり、基部４６は、第１の半径ｒ１より大きい第２の半径ｒ２である。凸部４５は、ユーザにより押される押下面４３を備える。ユーザにより押される押下面４３は、図７に示すように、突出部２４より凹んだ位置にある。
【００３４】
基部４６には、図１１（Ｃ）に示すように、支持部材１５との位置決めをするために例えば径の異なる一対の凸部４７が形成されている。図７に示すように、基部４６の外周面４８の角部４９は、発光部材１２の傾斜面３７に対向する。
【００３５】
図７に示すように、図１１（Ｅ）に示すボタン１４の基部４６の支持部材１５側の面には、ほぼ全面を覆うように拡散シート５０が配置されている。拡散シート５０を配置したことにより、ボタン１４の表面から光を均一に放射することが可能となる。更に、ボタン１４の内側の構造、例えば基板１６の表面状態を拡散シート５０により隠すことが可能となる。
【００３６】
図１２（Ａ）、（Ｂ）、（Ｃ）、（Ｄ）及び（Ｅ）は支持部材１５の平面、左側面、正面、右側面及び底面図である。  
支持部材１５は、ユーザによりボタン１４の押下面４３が押されたときにボタン１４が凹みユーザが押下面４３を押さないときに図７に示す初期位置に戻るように、ボタン１４を弾性的に支持する。支持部材１５は、基板１６を支持する。
【００３７】
支持部材１５は、リング部５１、弾性部５２、基板保持部５３及び支持部５４等を備えている。  
リング部５１は、図６に示すように、ボタン１４の一対の凸部４７が挿入される一対の孔５５が形成されている。リング部５１のボタン１４側と反対側の面には、図７、図１２（Ｂ）及び（Ｅ）に示すように突起部５６が突設されている。突起部５６は、図７に示すようにリング部５１のスイッチ素子６０に対向する第１の位置Ｐ１に設けられている。
【００３８】
弾性部５２は、図１２（Ｂ）及び（Ｄ）に示すように湾曲形状であり、リング部５１等に繋がって一体的に形成されている。弾性部５２は、リング部５１のリングの中心を挟んで第１の位置Ｐ１とは反対側の第２の位置Ｐ２（図７及び図１２（Ｂ）参照）で、リング部５１を弾性的に支持する。
【００３９】
基板保持部５３は、図６に示すように略Ｕ字枠形状であり、基板１６が基板保持部５３に挿入された状態で基板１６を保持する。図７に示すように、基板１６が基板保持部５３に保持された状態では、スイッチ素子（タクトスイッチ）６０が突起部５６に対向しかつ発光素子６１がリング部５１のほぼ中心に対応する。
【００４０】
支持部５４は、例えば弾性部５２、基板保持部５３等を支持するために用いられる。支持部５４は、弾性部５２及び基板保持部等と一体的に形成されている。
【００４１】
図１３（Ａ）、（Ｂ）、（Ｃ）、（Ｄ）及び（Ｅ）は基板１６の平面、左側面、正面、右側面及び底面図である。  
基板１６は、実装用基板７０、及び実装用基板７０に実装されたスイッチ素子６０、発光素子６１、６２等を備えている。
【００４２】
スイッチ素子６０は、図７に示すように突起部５６に対向して配置されている。スイッチ素子６０は、オンオフ状態が突起部５６に当接して切り替えられる。
【００４３】
発光素子６１、６２は、例えばボタン１４（拡散シート５０）のほぼ中心に向けて発光する。発光素子６１、６２は、例えばＬＥＤ（Ｌｉｇｈｔ  Ｅｍｉｔｔｉｎｇ  Ｄｉｏｄｅ）が用いられている。
【００４４】
図１４は電子機器１のシステムの構成を示すブロック図である。  
電子機器１のシステム８０は、基板１６、電源回路８１及びシステムコントローラ８２を備える。
【００４５】
基板１６は、実装用基板７０、及び実装用基板７０に実装されたスイッチ素子６０、スイッチコントローラ８４、電源切替回路８５、ドライバ８６、発光素子６１、ドライバ８７及び発光素子６２を備えている。
【００４６】
電源回路８１は、商用ＡＣ電源、バッテリからの直流ＤＣ電源から電子機器１内の各回路で使用される直流電源を生成する。
【００４７】
システムコントローラ８２は、電子機器１のシステムの制御を行う。例えばスイッチコントローラ８４からのシステム起動命令を入力したとき、システムを起動する処理を行う。また、システムコントローラ８２は、システムのステータスを管理しており、スイッチコントローラ８４にシステムのステータス（システムオン／オフ／スタンバイ）を通知する。
【００４８】
スイッチ素子６０は、突起部５６により押されるとオン、オフが切り替えられる。
【００４９】
スイッチコントローラ８４は、システムコントローラ８２からのステータスとに基づき、例えば二値信号を電源切替回路８５に出力する。スイッチコントローラ８４は、例えばステータスがシステムオンのときには、「１」を電源切替回路８５に出力し、ステータスがスタンバイのときには、「０」を電源切替回路８５に出力する。
【００５０】
電源切替回路８５は、スイッチコントローラ８４からの二値信号に基づき、ドライバ８６、ドライバ８７に二値信号を出力する。
【００５１】
ドライバ８６は、電源切替回路８５からの信号に基づき、電源回路８１で生成された直流電源を発光素子６１に供給／遮断する。ドライバ８７は、電源切替回路８５からの信号に基づき、電源回路８１で生成された直流電源を発光素子６２に供給／遮断する。
【００５２】
次に、電源スイッチユニット１０の製造（取付）方法について説明する。  
図１５は電源スイッチユニット１０の製造（取付）方法のフローチャートである。なお、表示部２、電源スイッチユニット１０を取り付ける前の本体部３は既に製造されているものとする。
【００５３】
遮光膜が形成される前の遮光部材１１と発光部材１２とを成形しスパッタリングにより遮光部材１１に遮光膜を形成する（ＳＴ１５０１）。
【００５４】
遮光部材１１の基材には例えばスパッタリングにより遮光膜が形成される材料である例えばＡＢＳ樹脂等の材料を用い、発光部材１２には例えばスパッタリングにより遮光膜が形成されない透光性を有する乳白色の樹脂材料等を用いる。遮光部材１１と、発光部材１２とを予め製造しその後組み合わせてもよい。
【００５５】
本体部３内からフレキシブル基板に接続された基板１６を支持部材１５の基板保持部５３に挿入し、図６に示す遮光部材１１、発光部材１２、包囲部材１３、ボタン１４及び支持部材１５を図７に示すように組み合わせ、図５に示す電源スイッチユニット１０を製造する（ＳＴ１５０２）。このとき、位置決め部４２は、図６に示す突起脚２２が電子機器１の正面側に位置することを避けるように、発光部材１２及び遮光部材１１を回転方向（周方向）に対して位置決めする。
【００５６】
図４に示す電源スイッチユニット１０の位置決め部４１を、図１に示すように本体側筐体７の位置決め部７１に固定する（ＳＴ１５０３）。位置決め部７１は、キーボードユニット８の平面（図１のＸＹ平面）とほぼ平行に設けられた壁である。位置決め部４１と、本体側筐体７の位置決め部７１とが平面的に重なりネジ止めされる。
【００５７】
次に、電源スイッチユニット１０の発光素子６１から発光された光の光路を説明する。  
図１６は電源スイッチユニット１０の発光素子６１から発光された光の光路図である。  
例えば発光素子６１から発光された光は、拡散シート５０に入射する。拡散シート５０に入射した光は、拡散シート５０で散乱し透明なボタン１４を透過し押下面４３からボタン１４の外部へ射出される。拡散シート５０で散乱した光は、図１６に示す一点鎖線の軸の周りに均一に散乱する。この結果、この散乱した光は、例えば基部４６の中心付近から角部４９付近を通過し発光部材１２の傾斜面３７等から発光部材１２に入射し発光部材１２内で散乱し、リング状の発光部３１を透過し発光部３１の外へリング状に均一に拡がる。
【００５８】
このように本実施形態によれば、リング状の遮光部２１がボタン１４の外周面４４を取り囲んでいるので、デザイン性を損なうことはない。発光素子６１で発光した光は、ボタン１４の基部４６の底面に設けられた拡散シート５０に入射して散乱し、ボタン１４内を通り押下面４３から出射して押下面４３が発光する。また、発光素子６１で発光した光は、ボタン１４の基部４６の底面に設けられた拡散シート５０から入射し散乱し、ボタン１４内及びリング状の発光部３１内を通り、リング状の発光部３１内で散乱し、発光部３１の外周面Ｓから出射してその外周面Ｓが発光する。リング状の発光部３１の外周面Ｓの発光により、発光素子６１を備えるだけで、一側面側（図１６のＹ方向側）からだけでなく、正面から電子機器１を操作するユーザがボタン１４の発光状態を確認できる。しかも、リング状の発光部３１は、ボタン１４の基部４６近傍の外周面４４を取り囲んでいるので、軸（図１６で一点鎖線で示すＹ方向に平行な軸）対象の構造である。従って、リング状の発光部３１は、その外周面Ｓから光を均一に発光することができる。
【００５９】
電子機器１の包囲部材１３は、突起脚２２が電子機器１の正面側（図６に示すＸ方向側）に位置することを避けるように、発光部材１２及び遮光部材１１を回転方向（周方向）に対して位置決めする位置決め部４２を備えている。従って、突起脚２２が電子機器１の正面側に位置することを避けるようにしたことで、正面から電子機器１を操作するユーザにとって突起脚２２によってボタン１４の発光状態が損なわれることはなくなる。
【００６０】
発光部材１２は、図７に示すように、ボタン１４の基部４６の外周面４８を取り囲み、ボタン１４の基部４６の外縁の角部４９と対向する位置に傾斜面３７を有する凹部３６を備える。発光部材１２が傾斜面３７を備えることで、ボタン１４の基部４６の外縁の角部４９付近から出射した光が発光部材１２に入射する際に反射することが少なくなり、発光部材１２から発光する光の光量をより多くすることができる。
【００６１】
電源スイッチユニット１０のリング状の発光部３１は、図３に示すように、電子機器１が開閉状態に関係なく、常に外部に露見された状態にある。このため、電源を入れたまま表示部２を閉じてしまっても、電子機器１のボタン１４を見ることなくそのリング状の発光部３１からの光を視認することができる。
【００６２】
電子機器１は、例えば電源がオンになっているときは発光素子６１に赤（オレンジ）色の光を点灯させて、あるいは省電力待機状態のときには発光素子６２に緑色の光を点滅させて、それらの状態をユーザに確認させることができる。
【００６３】
リング状の発光部３１は、スパッタリングにより遮光膜が付着しない透光性の樹脂材料（Ｃｌｅａｒ  ＰＣ  クリアポリカーボネート等）からなり、遮光部材１１の基材は、このスパッタリングにより遮光膜が付着する基材からなる。このため、例えば同一のスパッタリング工程で、発光部３１と遮光部２１と形成することができる。従って、製造工程を短縮することができると共に、製造コストを低下させることができる。
【００６４】
デッドスペースであったヒンジの連結部に電源スイッチユニット１０を配置することで、その分、本体部３や表示部２の各部品配置に自由度が生じ、それら部品配置を工夫することで本体部３や表示部２の薄型化を促進する。また、電源スイッチユニット１０はキーボードユニット８と離れた位置に設けられ、しかもボタン１４の周囲を囲み、ボタン１４のその外周が突き出すように構成されている。従って、使用中に誤って電源を切ってしまうことなどを防げる。  
本発明は、上記の実施形態に限定されない。本発明は、その技術思想の範囲内で様々に変形して実施することが可能である。その実施の範囲は、本発明の技術的範囲に属するものである。
【図面の簡単な説明】
【００６５】
【図１】本発明の一実施形態に係る電子機器の開いた状態の斜視図である。
【図２】電子機器の閉じた状態の斜視図である。
【図３】電子機器の開いた状態の平面図である。
【図４】電源スイッチユニットの斜視図である。
【図５】電源スイッチユニットの平面、左側面、正面、右側面及び底面図である。
【図６】電源スイッチユニット１０の分解斜視図である。
【図７】図５（Ｃ）に示す電源スイッチユニットのＡ−Ａ断面図である。
【図８】遮光部材の平面、左側面、正面、右側面及び底面図である。
【図９】発光部材の平面、左側面、正面、右側面及び底面図である。
【図１０】包囲部材の平面、左側面、正面、右側面、底面及び背面図である。
【図１１】ボタンの平面、左側面、正面、右側面及び底面図である。
【図１２】支持部材の平面、左側面、正面、右側面及び底面図である。
【図１３】基板１６の平面、左側面、正面、右側面及び底面図である。
【図１４】電子機器のシステムの構成を示すブロック図である。
【図１５】電源スイッチユニットの製造（取付）方法のフローチャートである。
【図１６】電源スイッチユニットの発光素子から発光された光の光路図である。
【符号の説明】
【００６６】
１  電子機器
２  表示部
３  本体部
４  ヒンジ
４ａ、４ｂ  連結部
５  表示側筐体
６  表示面
７  本体側筐体
１０  電源スイッチユニット
Ｓ  外周面
１１  遮光部材
１２  発光部材
１３  包囲部材
１４  ボタン
１５  支持部材
２１  遮光部
２２  突起脚
２６  内周面
３１  発光部
３６  凹部
３７  傾斜面
４２  位置決め部
４３  押下面
４４、４８  外周面
４６  基部
４７  凸部
４９  角部
５０  拡散シート
６０  スイッチ素子
６１、６２  発光素子
Ｐ１  第１の位置
Ｐ２  第２の位置
ｒ１  第１の半径
ｒ２  第２の半径
【図１】
0005040819.tif 000002
【図２】
0005040819.tif 000003
【図３】
0005040819.tif 000004
【図４】
0005040819.tif 000005
【図５】
0005040819.tif 000006
【図６】
0005040819.tif 000007
【図７】
0005040819.tif 000008
【図８】
0005040819.tif 000009
【図９】
0005040819.tif 000010
【図１０】
0005040819.tif 000011
【図１１】
0005040819.tif 000012
【図１２】
0005040819.tif 000013
【図１３】
0005040819.tif 000014
【図１４】
0005040819.tif 000015
【図１５】
0005040819.tif 000016
【図１６】
0005040819.tif 000017